(57)【要約】【課題】  パッティング時のダブりミスやカラー部及びカラー周りのラフ部からのパッティングミス等を少なくしてパッティング成功率を高める。【解決手段】  パターヘッド底面の最底部分からフェース方向に向かう底面に上向き角度を設け、あるいは、パターヘッド底面とフェースとの交差部分に丸みを付けて継ぎ、更には、フェースが垂直面よりも上向き角度を設け、しかも、パターヘッド底面をトゥ側とヒール側との方向に向けて上向き角度αを設けた。また、パッティングライン方向にパターフェースを容易に合わせられるように、芝の緑色に対して鮮明な対色比である赤色系の塗料をパターヘッドの表面に複数本の帯線状塗装を施した。【選択図】図１
2011045688.tif 000002
【特許請求の範囲】
【請求項１】
パターヘッド底面の最底部分からパターフェース方向に向かう底面の上向き角度θａを５°乃至４５°で形成し、あるいはまた、パターヘッド底面とパターフェースとが交差するコーナー部分を半径３乃至１０ｍｍの丸みで形成し、しかも、フェースの上下方向を垂直面に対して２°乃至５°上向きの傾斜角で形成したゴルフ用パターヘッド。
【請求項２】
パターヘッド底面の最底部分からパターヘッド後方に向かう底面の上向き角度θｂを２°乃至６°で形成した請求項１に記載のゴルフ用パターヘッド。
【請求項３】
パターヘッド底面のパターフェース方向に向かう底面の上向き角度θａとパターヘッド後方に向かう底面の上向き角度θｂとの交差部を丸みを付けてなめらかに継いで形成した請求項１又は２に記載のゴルフ用パターヘッド。
【請求項４】
パターヘッド底面の水平な面から、トゥ側とヒール側両側面の高さ４乃至８ｍｍの位置まで１２乃至１８°の上向き角度αで形成し、かつ底面と両側面との角度αの交差部は丸みを付けてなめらかに継いで形成した請求項１乃至３に記載のゴルフ用パターヘッド。
【請求項５】
パターヘッド上面のトゥ側とヒール側との中心から均等な位置に２乃至５ｍｍ幅からなる帯状の赤色系塗料をパターフェース部の上面から後方に向けて塗装した請求項１乃至４に記載のゴルフ用パターヘッド。
【発明の詳細な説明】
【技術分野】
【０００１】  本発明は、一般的にはゴルフ用パタークラブに関し、更に具体的にはパターヘッドに関するものである。
【背景技術】
【０００２】  近年、健康維持及び増進の観点から、各種の身体を動かす運動が盛んになり、それらのうち、単独または親しい仲間と楽しく運動ができるゴルフが注目され、現在ではゴルフ愛好家は約１５００万人になっていると推定されている。【０００３】  ゴルファーにとって最大の関心事であり、かつ目標は、如何にしてゴルフスコアを良くするかということで、種々の努力や試みがなされている。ところで、ゴルフコースにおけるスコアのうち各ホール毎のパット数は、一般的に平均２パット程度であるが、初心者の場合は平均パット数は２パット以上、更には３パットを超えることがある。【０００４】  このように、パット数はゴルフスコアの内で大きなウェイトを占めるために、各種様々なゴルフ用パタークラブが開示されており、これらのうち、真直ぐな振り子ストロークが得られるようにするためにパタークラブの上面を前部から後部へと上向きに傾斜させたクラブヘッドがある。（例えば、特許文献１参照）【０００５】  また、ヘッド本体部のブレード部の比重が５以下の金属材料で、かつ、ブレード部よりも後方のトゥ側とヒール側とに比重１０以上の金属材料からなる錘部を設けることにより、左右の重心周りの慣性モーメントを高めたものがある。（例えば、特許文献２参照）【０００６】  更に、パターヘッドの後側にシャフト取付位置を挟んだ左右に一対の位置合わせ突部を設け、該突部をグリーン面に当接させてシャフトを斜め後方に倒してシャフトをゴルフボールの打ち出し方向に整合させることにより、パターフェースをゴルフボールの打ち出し方向に合わせるようにしたパターがある。（例えば、特許文献３参照）【０００７】  これらの特許文献及びその他多くの公開公報によって開示されているゴルフ用パタークラブは、大部分がゴルフボールを打ち出す方向に対してパターフェースを直角に合わせようとしたものや、パターヘッドの集光材によってパッティングの方向性を高めたものやパター上面に三本の線を引きヘッドアップや押し出し及び引っかけを防ごうとするゴルフ用パター等々がある。
【先行技術文献】
【特許文献】
【０００８】
【特許文献１】特開平８−２６６６９５号公報
【特許文献２】特開２００１−２３１８９８号公報
【特許文献３】特開２００８−１０４６３２号公報
【発明の概要】
【発明が解決しようとする課題】
【０００９】  ゴルフ全コース１８ホールの各ホール毎のパット成功率が高まり、仮に、初心者の場合で平均パット数が０．５打少なくなると、当然のことながら全スコアは９打分だけ好成績を挙げることができ、更に、パット成功率が僅かに平均０．２打程度向上するのみで、全スコアは約４打少ない成績を挙げることができる。このように、全スコアに対するパット合計数は大きなウェイトを占めることになるために、各種のゴルフ用パターが開発市販されているが、パット成功率を高めるための性能面については解決しなければならない問題点があった。【００１０】  ゴルフボールがグリーンあるいはカラー部分に乗った時はもちろん、カラー部外周に近いラフ部分に乗った場合においても初心者や中級者は、パタークラブが使用できそうであれば、やさしくて失敗率の少ないパッティングによりボールを転がす場合が往々に発生する。【００１１】  カラー部分の芝の長さは、約２０ｍｍ程度であるのに対して、従来のパタークラブは、フェース下端部とパタークラブ底面とが交差するコーナー部分がほぼ直角状に形成されているために、このコーナー部分がカラー部の芝に引っかかってダブり現象が発生してパッティングを失敗する場合があった。【００１２】  また、アイアンクラブを使用する場合はもちろん、従来のパタークラブによれば、カラー部外周に近いラフ部分は、芝の長さが約３０乃至４０ｍｍを越す場合があるために、従来のパタークラブのフェース下端部とパタークラブ底面とが交差する直角状のコーナー部分がボールとパターフェース部との間に挟まった芝を切り取ったり、引きちぎる現象が発生するために打球エネルギーが消費されたり、ラフの芝に引っかかってダブり現象が頻発したり、あるいは、長い芝と直角状コーナー部分との滑り現象が悪いために打球エネルギーがロスすることになり、ボールがカップまで届かなかったり、あるいはまた、打球エネルギーロスを補おうとする過剰反応のために力が入り過ぎてカップ位置をオーバーしたりして、パッティングを失敗する例が頻発していた。【００１３】  更に、パタークラブのトゥ側からヒール側までのパターフェース部の長さを１００ｍｍ以上に大きくしたパタークラブが多く見受けられるが、ボールの直径（約４３ｍｍ）に対してあまり長過ぎると、パタークラブが芝と接触摩擦しながらパッティングが行われた場合には、芝の滑り抵抗が大きくなり、パッティングミスを起こす頻度が多くなる。【００１４】  更にまた、パタークラブ上面のトゥ側からヒール側にかけて集光性を有する素材を用いたり、パターフェース方向から後方に向けてスリットや線を引くことによって、ボールを目標ライン方向に打ち出すような補助策を講じたものもあるが、未だ充分とはいえなかった。
【課題を解決するための手段】
【００１５】  上記課題を解決するため本発明は、以下の手段から構成される。【００１６】  即ち、パターヘッド底面の最底部分からパターフェース方向に向かう底面の上向き角度θａを５°乃至４５°で形成し、あるいはまた、パターヘッド底面とパターフェースとが交差するコーナー部分を半径３乃至１０ｍｍの丸みで形成し、しかも、フェースの上下方向を垂直面に対して２°乃至５°上向きの傾斜角で形成したゴルフ用パターヘッド。（請求項１）【００１７】  パターヘッド底面の最底部分からパターヘッド後方に向かう底面の上向き角度θｂを２°乃至６°で形成した請求項１に記載のゴルフ用パターヘッド。（請求項２）【００１８】  パターヘッド底面のパターフェース方向に向かう底面の上向き角度θａとパターヘッド後方に向かう底面の上向き角度θｂとの交差部を丸みを付けてなめらかに継いで形成した請求項１又は２に記載のゴルフ用パターヘッド。（請求項３）【００１９】  パターヘッド底面の水平な面から、トゥ側とヒール側両側面の高さ４乃至８ｍｍの位置まで１２乃至１８°の上向き角度αで形成し、かつ底面と両側面との角度αの交差部は丸みを付けてなめらかに継いで形成した請求項１乃至３に記載のゴルフ用パターヘッド。（請求項４）【００２０】  パターヘッド上面のトゥ側とヒール側との中心から均等な位置に２乃至５ｍｍ幅からなる帯状の赤色系塗料をパターフェース部の上面から後方に向けて塗装した請求項１乃至４に記載のゴルフ用パターヘッド。（請求項５）
【発明の効果】
【００２１】  本発明に係るゴルフ用パターヘッドは、以下に示すような優れた効果を発揮する。【００２２】  １．カラーやラフの芝との滑りがよいので、芝の滑り抵抗でフェースが下向きになる現象が発生しない。【００２３】  ２．フェース下端のコーナー部がカラー部やラフ部の芝に引っかかる等のダブり現象が発生しない。【００２４】  ３．芝の長さに左右されない安定した打球エネルギーがボールに伝わり、パッティング成功率が高まる。【００２５】  ４．パターヘッド底面からトゥ側とヒール側への上向き角度αが、パタークラブの安定した直進性を与える。【００２６】  ５．パターヘッド底面の上向き角θａとθｂとの交差部に丸みＲを付けてなめらかに継いでいるので、パターヘッドがグリーン上で芝と接触した場合や、カラーやラフ部におけるパターヘッドと芝との滑りが良い。【００２７】  ６．パターフェース部の長さが７０乃至９０ｍｍで形成されているので、スイートスポットでパッティングできる確率が高まる。【００２８】  ７．パターヘッド上面にグリーンの緑と反対比色の赤色系塗料をパターフェース部の上面から後方に向けて塗装しているので、鮮やかな赤色系ラインをパッティングライン方向に容易に合わせることができる。
【図面の簡単な説明】
【００２９】
【図１】（ａ）は、本発明のパターヘッドの一例を平面図で示す  （ｂ）は、図１（ａ）のＡ−Ａ断面の一例を示す  （ｃ）は、図１（ａ）のＢ−Ｂ矢視図である
【図２】図１（ａ）のＡ−Ａ断面の他の形状例を示す
【図３】パターヘッドの表面に赤色系の塗料を塗装した一例を平面図で示す
【図４】（ａ）は、芝とボールとパターヘッドとの関係を模式図で示す  （ｂ）は、図１（ｂ）で示したパターヘッドと芝との関係を模式図で示す  （ｃ）は、後方から見たパターヘッドと芝との関係を模式図で示す
【発明を実施するための形態】
【００３０】  以下に本発明の実施の形態を図面に基づいて説明する。
【００３１】  図１において、本発明に係るゴルフ用パターヘッド１は、水平なパターフェース部の上面３と平行にパターヘッド底面４を設置した場合、パターヘッド底面４の最底部分５からパターフェース２方向に向かう底面が上向き角度θａで形成されており、また最底部分５からパターヘッド後方７に向かう底面４は、角度θｂで形成され、かつ、角度θａとθｂとの交差部は丸みをつけてなめらかに継がれている。なお、角度θａとθｂとの交差部に数ｍｍ幅の平坦面を介在させて丸みをつけてなめらかに継いでもよい。更に、パターフェース２は、垂直面に対して２乃至５°の上向き角度βになるように形成されている。
【００３２】  ここで、パターフェース前端部１１とパターヘッドの底面４とからなる交差部分は、パターヘッド底面の最底部分５から高さ３乃至１０ｍｍのパターフェース２の位置に向けてθａが５°乃至４５°の上向き角度で形成されている。
【００３３】  更に、トゥ側９からヒール側１０までのパターフェース２部分の長さは７０乃至９０ｍｍで形成され、かつ、パターヘッド１の上面は、フェース本体部８の後方（フェース後背面６の後方）が凹状に掘り込まれている。
【００３４】  なお、図１（ｃ）に示すようにパターヘッド１の底面側である水平な面１７のトゥ側９とヒール側１０の方向は、水平な面１７から高さ４乃至６ｍｍの位置の側面１６に向けて、１２乃至１８°の上向き角度αで形成し、かつ、両側のコーナー部１５に丸みを付けて側面１６とスムーズに継がれている。
【００３５】  図２は、パターヘッド底面４の最底部５とパターフェース２とが交差するコーナー部１１を半径３乃至１０ｍｍの丸みを付けてスムーズに継いで形成した一例を示している。
【００３６】  図３は、パターヘッド１のトゥ側９とヒール側１０との中心線から両側方向の対称な位置にフェース部の上面３から後方の凹状堀込部の底面１４に赤色系統の塗料を２乃至５ｍｍ幅で複数本塗装した部分を斜線で示している。
【００３７】  この赤色系統の塗料の色は、マンセル色相環による色相が２．５Ｒ乃至１０Ｒ、５ＰＲ乃至１０ＰＲ及び２．５ＹＲ乃至５ＹＲで、しかも、マンセル色票の明度（Ｖ）／彩度（ｃ）が、４／１４乃至５／１４、４／１２乃至６／１２及び３／１０乃至６／１０からなるマンセル値が本発明の特性を満足する範囲である。
【実施例１】
【００３８】  以下、本発明のゴルフ用パターヘッドについて説明する。【００３９】  先ず、本発明のゴルフ用パターヘッド１は、パターヘッド底面４の最底部５からパターフェース２方向に向けて上向き角度θａを設けていること、あるいはまた、パターヘッド底面４とパターフェース２とが交差するコーナー部分１１を、半径３乃至１０ｍｍの丸みを付けて形成しているので、パッティングを行う際に、パターフェース２下端のコーナー部分１１がグリーンやカラー部やカラー部周りのラフ部に引っかかりダブり現象を発生することがない。【００４０】  更に、前記の上向き角度θａ、あるいは、パターフェース２下端のコーナー部１１に丸みを付けて形成しているので、パッティング時にカラーやラフ部の長い芝２１を直角に押し曲げたり、切り取ったり、引きちぎる現象が発生することなく、芝２１との滑り抵抗が非常に小さくなる結果、芝２１の長さに左右されない安定した打球エネルギーがボール２０に伝わり、パッティング成功率が高まる。【００４１】  本発明のパターヘッドの優れた性能を、解説に不要な芝の記載を省略した図４の模式図により更に分かりやすく説明する。（ａ）は、グリーンやカラー部及びラフ部の芝２１の長さが各々異なるが、仮にラフ部にボール２０が乗った場合は、ボール２０が半分以上芝２１の中に沈み込んでしまい、従来のパタークラブによれば前述したようにパタークラブが芝２１に引っかかってダブり現象を発生することがあるが、本発明のパターヘッド１を用いると、パターフェース２方向のパターヘッドの底面４に上向きの角度θａを設けた傾斜面で芝２１を押し倒しながら動かせるので、芝の抵抗が無くパッティングできる作用効果が得られる。【００４２】  あるいはまた、パターフェース２下部とパターヘッド底面４の最低部分５との交差部分を半径３乃至１０ｍｍの丸みを付けて形成しているので、前記したのと同様に芝の抵抗が無くパッティングができる作用効果が得られる。【００４３】  図４（ｂ）は、本発明のパターヘッド１と芝２１との関係を示す模式図であり、パターヘッド１は、押し倒した芝２１から矢印で示したような上向きの押し上げようとする力が作用するために、芝２１との滑り抵抗が少なくてスムーズなパッティングができ、しかも芝２１に引っかからない状況を示している。【００４４】  更に、図４（ｃ）は、パターヘッド１の底面側である水平な面１７からトゥ側９及びヒール側１０に向けて角度αで形成した傾斜面と芝２１との関係を模式図で示したものであり、パターヘッド１は、この傾斜面で芝２１を左斜前方向き及び右斜前方向きに押し倒しながら前方へ動く際に、矢印で示すような押し上げる力を受けるので、芝２１との滑り抵抗が少なくて芝２１に引っかかることが無く、しかも、左右均等な力を受けることにより舟の舳先のように直進性があり、パッティング方向に真直ぐに動かせることになる。ちなみに、パターヘッド１の底面側である水平な面１７からトゥ側９とヒール側１０とに向かう角度や寸法が、左右対称ではなく異なる形状寸法に形成された場合は、芝２１から受ける押し上げる力や芝２１との滑り抵抗が左右均等でなくなる結果、パターヘッド１の直進性が微妙に変化することが判明した。
【実施例２】
【００４５】  ところで一般に、全コースにおけるパッティングは、精神的に非常な緊張を伴なうプレーであり、プロゴルファーがカップの位置とパッティングラインを何回も見直す所作を繰り返すように、その精神的な緊張状態は非常に強いものであり、得てして平易なグリーン上においてもパッティング時点でヘッドアップし、パターフェース２の下端コーナー部が芝に引っかかってダブる場合が多く発生したり、あるいは、パタークラブ底面が芝と強く接触した際に芝との滑り性が悪いためにパッティングミスが発生したりしていた。【００４６】  一方、本発明のパターヘッドは、パッティング時のダブり現象ができ得る限り発生しないように構成し、かつ、芝の抵抗や芝との滑りの影響を受けないようにしたものである。即ち、本発明のパターヘッド１は、グリーン上においてパターヘッド１が芝と接触してダブり現象を起こしそうになった場合においても、パターフェース１下端のコーナー部１１が芝に食い込むようなパッティングミスは発生しない。更に、パターヘッド底面がグリーンの芝と強めに接触した場合においても、パターヘッド底面の最低部分５が丸みをつけてなめらかに継がれているので、ダブり現象のダメージが非常に少なくて済む性能を有している。また更に、カラーやラフ部においてダブり現象が生じた場合は、パターフェース下部のコーナー部分１１が芝に食い込むことがなく、かつ、コーナー部分１１と芝との滑りがよいので、決定的なダブりミスが発生しない特性を有していることが判明した。
【実施例３】
【００４７】  本発明のパターヘッド１の上面に塗装した赤色系統の色は、白色や黒色その他各種の色や単なる線に比べて、ゴルフ場の四季を通じて最もコントラストが強く、特にグリーン上において芝の緑色に対して赤色系統の色が非常に鮮やかな対比色として、塗料を塗装した部分１８の帯線状の輪郭が目に入るので、パッティングライン方向に帯線状の輪郭を容易に合わせることができる結果、パッティング成功率が非常に高くなる。【００４８】  以上、大多数のゴルフ愛好家の１８ホールにおける全スコアは、約１００前後であり、初心者及びこれらの中級者が起こしやすいパッティングミスを非常に少なくし、パッティング成功率を高める性能を本発明のパターヘッドは有している。
【産業上の利用可能性】
【００４９】  本発明のゴルフ用パターヘッドは、構造が比較的に簡単であるため製造が容易で、しかも、パッティング成功率が高くなるので、多くのゴルファーに愛好される可能性が大である。
【符号の説明】
【００５０】  １  パターヘッド
２  パターフェース
３  パターフェース部の上面
４  パターヘッドの底面
５（パターヘッド）底面の最底部分
６  パターフェース後背面
７  パターヘッド後方
８（パター）フェース本体部
９  トゥ側
１０  ヒール側
１１  パターフェース前端部、コーナー部分
１２  パターフェース後端部
１３  凹状掘込部側面
１４  凹状掘込部の底面（パターヘッドの表面）
１５  両側のコーナー部
１６  側面
１７  水平な面
１８  塗料を塗装した部分
１９  シャフト取付け穴
２０  ボール
２１  芝
【図１】
2011045688.tif 000003
【図２】
2011045688.tif 000004
【図３】
2011045688.tif 000005
【図４】
2011045688.tif 000006